(57)【要約】共有エア・インタフェース資源の名目上の資源割当と資源交換許容を有する複数の通信ネットワーク（１０３、１０７、１１１）間のリソース・シェアリング装置が提供される。装置（２０１）は、第１ネットワーク（１０３）の名目上の資源割当から第１エア・インタフェース資源の一時的資源割当を開始する共有誘因プロセッサ（２０５）を含む。選択プロセッサ（２０７）は所与資源に対する最大のオファー値を選択することによって第２ネットワーク（１０７）を選択する。割当メッセージ生成器（２１１）は第１エア・インタフェース資源の少なくとも一部の一時的割当を示す資源割当メッセージを第２ネットワーク（１０７）に送信する。第２ネットワーク（１０７）からの資源交換オファー値の対応値に従って第２ネットワーク（１０７）の資源交換許容を減少させる。
2008547356.tif 000002
【特許請求の範囲】
【請求項１】
複数の通信ネットワークの間のリソース・シェアリングのための装置であって、各々の前記通信ネットワークは共有されたエア・インタフェース資源の名目上の資源割当と、資源交換許容とを有し、前記装置は、
第１ネットワークの名目上の資源割当から、第１エア・インタフェース資源の一時的な資源割当を開始する開始手段と、
複数のネットワークからオファー・メッセージを受信する手段であって、各々の前記オファー・メッセージは前記第１エア・インタフェース資源の少なくとも一部に対する資源交換オファー値を含むことと、
前記受信済み資源交換オファー値に呼応して第２ネットワークを選択する手段と、
前記第１ネットワークから前記第２ネットワークへの前記第１エア・インタフェース資源の少なくとも一部の一時的割当を示す資源割当メッセージを、前記第２ネットワークに送出する手段と、
前記第２ネットワークからの前記資源交換オファー値に呼応して決定された値に従って、前記第２ネットワークの資源交換許容を減少させる手段と
を含む、装置。
【請求項２】
前記装置は更に、前記第２ネットワークの前記資源交換オファー値に呼応して決定された値に従って、前記第１ネットワークの資源交換許容を増加させる手段を含む、請求項１に記載の装置。
【請求項３】
前記開始手段は、前記第１ネットワークに対する前記名目上の資源割当の利用可能な資源の決定に呼応して、前記一時的な資源割当を開始するように構成されている、請求項１または２に記載の装置。
【請求項４】
前記開始手段は、前記第２ネットワークに対する資源要件の決定に呼応して、前記一時的な資源割当を開始するように構成されている、請求項１〜３の何れか一項に記載の装置。
【請求項５】
前記選択手段は、前記第１エア・インタフェース資源の前記少なくとも一部に対する前記第２ネットワークからの前記資源交換オファー値が最大の受信済み資源交換オファー値であるとの判断に呼応して、前記第２ネットワークを選択するように構成されている、請求項１〜４の何れか一項に記載の装置。
【請求項６】
複数の通信ネットワークを含む通信システムであって、各々の前記通信ネットワークは共有されたエア・インタフェース資源の名目上の資源割当と、資源交換許容とを有し、前記通信システムは、
第１ネットワークの名目上の資源割当から、第１エア・インタフェース資源の一時的な資源割当を開始する開始手段と、
複数のネットワークからオファー・メッセージを受信する手段であって、各々の前記オファー・メッセージは前記第１エア・インタフェース資源の少なくとも一部に対する資源交換オファー値を含むことと、
前記受信済み資源交換オファー値に呼応して第２ネットワークを選択する手段と、
前記第１ネットワークから前記第２ネットワークへの前記第１エア・インタフェース資源の少なくとも一部の一時的割当を示す資源割当メッセージを、前記第２ネットワークに送出する手段と、
前記第２ネットワークからの前記資源交換オファー値に呼応して決定された値に従って、前記第２ネットワークの前記資源交換許容を減少させる手段と、
前記第２ネットワークにおいて、前記第１エア・インタフェース資源の前記少なくとも一部を用いて通信する手段と
を含む、通信システム。
【請求項７】
前記通信システムは更に、前記複数の通信ネットワークの前記資源交換許容を保存する手段を含み、
前記第２ネットワークの前記資源交換許容を減少させる前記手段は、前記保存手段に対して、前記第２ネットワークの前記資源交換オファー値を含むメッセージを送信するように構成されており、
前記保存手段は、前記メッセージに呼応して、前記第２ネットワークに対する前記資源交換許容を更新するように構成されている、請求項６に記載の通信システム。
【請求項８】
複数の通信ネットワーク間のリソース・シェアリングの方法であって、各々の前記通信ネットワークは、共有されたエア・インタフェース資源の名目上の資源割当と、資源交換許容とを有し、前記方法は、
第１ネットワークの名目上の資源割当から、第１エア・インタフェース資源の一時的な資源割当を開始するステップと、
複数のネットワークからオファー・メッセージを受信するステップであって、各々の前記オファー・メッセージは前記第１エア・インタフェース資源の少なくとも一部に対する資源交換オファー値を含むことと、
前記受信済み資源交換オファー値に呼応して第２ネットワークを選択するステップと、
前記第１ネットワークから前記第２ネットワークへの前記第１エア・インタフェース資源の少なくとも一部の一時的割当を示す資源割当メッセージを、前記第２ネットワークに送出するステップと、
前記第２ネットワークからの前記資源交換オファー値に呼応して決定された値に従って、前記第２ネットワークの前記資源交換許容を減少させるステップと
を含む、方法。
【請求項９】
複数の通信ネットワーク間のリソース・シェアリングのための装置であって、各々の前記通信ネットワークは、共有されたエア・インタフェース資源の名目上の資源割当と、資源交換許容とを有し、前記装置は、
第１ネットワークの名目上の資源割当から、第１エア・インタフェース資源の一時的な資源割当を開始する開始コントローラと、
複数のネットワークからオファー・メッセージを受信する受信器であって、各々の前記オファー・メッセージは前記第１エア・インタフェース資源の少なくとも一部に対する資源交換オファー値を含むことと、
前記受信済み資源交換オファー値に呼応して第２ネットワークを選択する選択プロセッサと、
前記第１ネットワークから前記第２ネットワークへの前記第１エア・インタフェース資源の少なくとも一部の一時的割当を示す資源割当メッセージを、前記第２ネットワークに送出する送信器と、
前記第２ネットワークからの前記資源交換オファー値に呼応して決定された値に従って、前記第２ネットワークの前記資源交換許容を減少させるプロセッサと
を含む、装置。
【発明の詳細な説明】
【技術分野】
【０００１】
本発明は、複数の通信ネットワーク間のリソース（資源）・シェアリングに関し、特に、セルラー方式間の一時的なエア・インタフェース資源再割当に関するが、これに限らない。
【背景技術】
【０００２】
この数十年間で、無線通信方式は遍在するようになった。例えば、セルラー方式および無線ローカル・エリア・ネットワーク（ＬＡＮ）は、移動通信端末などに効率的な通信サービスを提供するための手段として一般に普及した。しかしながら、無線通信方式の普及拡大は、エア・インタフェース資源に対する必要性を劇的に高め、利用可能な資源を効率的かつ柔軟に利用することは、ワイヤレス・システムの更なる発展のために必要不可欠となった。
【０００３】
エア・インタフェース資源の利用を効果的に向上させるために提案された方法は、スペクトル共有であり、多くの独立したネットワークが同じ周波数スペクトルを共有できる。周波数スペクトルは時分割によって共有され、個々のネットワークは、送信のための異なった時間間隔を割り当てられる。
【０００４】
しかしながら、個々のネットワークに対する資源要件は動的に変化する傾向があるため、通常、異なるネットワークに対する資源の静的割り当ては、利用可能な資源の最適な利用をもたらさないであろう。しかしながら、個々のネットワークに対する共有されたエア・インタフェース資源の動的割り当ての現在の手法は、複雑になりがちであり、個々のネットワークに対する部分最適化されたリソース・シェアリング、および部分最適化されたパフォーマンスをもたらす。
【０００５】
従って、リソース・シェアリングに対して改良されたシステムは有利であり、特に、柔軟性を高め、リソース・シェアリングを改良し、動的性能を改良し、複雑さを低減することとリソース・シェアリングを改良することとのうちの少なくとも一方を可能にするシステムは、有利であろう。
【発明の開示】
【発明が解決しようとする課題】
【０００６】
従って、本発明は、上述した欠点のうちの１つ以上を、単独でまたは任意の組み合わせで、好ましくは緩和し、軽減し、または解決しようとするものである。
【課題を解決するための手段】
【０００７】
本発明の第１態様に基づいて、複数の通信ネットワーク間のリソース・シェアリングのための装置が提供され、各々の通信ネットワークは、共有されたエア・インタフェース資源の名目上の資源割当と、資源交換許容とを有し、この装置は、第１ネットワークの名目上の資源割当から、第１エア・インタフェース資源の一時的な資源割当を開始する開始手段と、複数のネットワークからオファー・メッセージを受信する手段であって、各々の前記オファー・メッセージは第１エア・インタフェース資源の少なくとも一部に対する資源交換オファー値を含むことと、受信済み資源交換オファー値に呼応して第２ネットワークを選択する手段と、第１ネットワークから第２ネットワークへの第１エア・インタフェース資源の少なくとも一部の一時的割当を示す資源割当メッセージを第２ネットワークに送出する手段と、第２ネットワークからの資源交換オファー値に呼応して決定された値に従って、第２ネットワークの資源交換許容を減少させる手段とを含む。
【０００８】
本発明は、異なるネットワーク間の改良されたリソース・シェアリングを可能にしうる。リソース・シェアリングの効率的管理が実現されうる。１つのネットワークに対する名目上の資源割当の全てまたは幾つかは、複雑な資源割当と、組み合わされた資源割当とのうちの少なくとも一方を必要とせずに、一時的に他のネットワークに（または他の複数のネットワークに）再割り当てされうる。例えば本発明は、簡単なオファー機構によって、一時的な資源再割当を最も必要としているネットワークに対して、一時的な資源再割当を可能にしうる。通信ネットワーク間の所要の相互作用および調整を低く保持しながら、効率的な動的リソース・シェアリングを可能にする。
【０００９】
異なる通信ネットワークは、割り当てられたエア・インタフェース割当の独立した資源割当を使用しうるとともに、独自に管理されかつ制御されうる。個々のネットワークは、個別の独立したオペレータによって所有され、運用されうる。例えば通信ネットワークは、汎欧州デジタル・セルラー・システム（ＧＳＭ）またはユニバーサル移動通信システム（ＵＭＴＳ）のようなセルラー方式でありうる。また、例えば通信ネットワークは、直交周波数分割多元接続システムでありうる。例えば通信ネットワークは、ＩＥＥＥ８０２．１１ネットワークのような無線ローカル・エリア・ネットワーク（ＷＬＡＮ）、またはＩＥＥＥ８０２．１６ネットワークのような広帯域無線通信アクセス・システムを含みうる。
【００１０】
本発明は、幾つかの実施形態で、認知的な無線に基づく、スペクトル利用に対する解決法を提供しうるとともに、特に、共有するために自由な／利用可能な資源を特定／検出する手段を提供することによって、スペクトル再利用の機会を与えうる。
【００１１】
本発明は、幾つかの実施形態で、分散型かつリアルタイムの方法によってスペクトル共有を可能にし、または促進しうる。特に本発明は、ピア・ツー・ピア配置を用いる基地局間のスペクトル共有のための機構を提供できる。
【００１２】
本発明は、幾つかの実施形態で、協調メカニズムに基づき同じ周波数帯域を用いる異種の無線アクセス・システムの共存を可能にし、または促進しうる。
例えば本発明は、時分割双方向伝送方式（ＴＤＤ）または周波数分割複信（ＦＤＤ）通信スキームを用いる通信ネットワークに適用されうる。
【００１３】
本発明の任意の特徴に基づいて、装置は更に、第２ネットワークの資源交換オファー値に呼応して決定された値に従って、第１ネットワークの資源交換許容を増加させる手段を含む。
【００１４】
具体的に言えば、第１ネットワークの資源交換許容は、第２ネットワークの資源交換許容が減らされたのと同じ量だけ増加されうる。この特徴は、資源の効率的な共有を可能にしうるとともに、ネットワークが、他のネットワークの利益のために任意の利用可能な資源を共有する好適な動機を提供しうる。
【００１５】
本発明の任意の特徴に基づいて、開始手段は、第１ネットワークに対する名目上の資源割当の利用可能な資源の決定に呼応して、一時的な資源割当を開始するように構成されている。
【００１６】
これは、効率的なリソース・シェアリングと、リソース・シェアリングはいつ有利および実用的でありうるかということとのうちの少なくとも一方についての実用的な検出を可能にしうる。例えば、一時的な資源割当の誘因は、他のネットワークに資源の可用性の通知を送信する第１ネットワークによる可能性がある。
【００１７】
一時的な資源割当は、例えば、名目上の資源割当の幾つかが使用されていないという判断に呼応して、第１ネットワークによって引き起こされうる。例えば、利用可能な資源は、未使用の資源であるか、または優先順位の低い通信で使用される資源でありうる。
【００１８】
本発明の任意の特徴に基づいて、開始手段は、第２ネットワークに対する資源要件の決定に呼応して、一時的な資源割当を開始するように構成されている。
これは、効率的なリソース・シェアリングと、リソース・シェアリングはいつ有利および実用的でありうるかということとのうちの少なくとも一方についての実用的な検出を可能にしうる。例えば、一時的な資源割当の誘引は、付加的な資源に対する要件または要求を示す通知を他のネットワークに送信する第２ネットワークによりうる。
【００１９】
一時的な資源割当は、例えば第２ネットワークの名目上の資源割当が所望の通信サービスを提供するには不十分であるとの判断に呼応して、第２ネットワークによって引き起こされうる。
【００２０】
本発明の任意の特徴に基づいて、選択手段は、第１エア・インタフェース資源の少なくとも一部に対する第２ネットワークからの資源交換オファー値が最大の受信済み資源交換オファー値であるとの判断に呼応して、第２ネットワークを選択するように構成されている。
【００２１】
例えば選択手段は、ネットワークを選択でき、このネットワークに対して、所与の資源が、その特定の資源に対して最大のオファーを提供するネットワークとして一時的に再割り当てされる。これは、資源を最も必要としているネットワークに対して利用可能な資源を提供する簡単で効率的な方法を提供できるとともに、幾つかの実施形態で、この資源を共有することの第１ネットワークに対する利益の最大化を促進しうる。
【００２２】
本発明の任意の特徴に基づいて、共有されたエア・インタフェース資源は周波数帯域であり、第１エア・インタフェース資源は、周波数帯域内の全ての周波数キャリアを含む。
これは、効率的なパフォーマンスを提供できるとともに、通常、第１ネットワーク上と第２ネットワーク上とのうちの少なくとも一方における資源の共有の影響を軽減しうる、資源の簡素な共有を提供できる。
【００２３】
本発明の任意の特徴に基づいて、第１エア・インタフェース資源の少なくとも一部は、所定の時間間隔内の周波数帯域に対応する。これは、効率的なリソース・シェアリングを促進しうる。
【００２４】
本発明の任意の特徴に基づいて、共有されたエア・インタフェース資源は周波数帯域であり、第１エア・インタフェース資源は、周波数帯域内の周波数キャリアのサブセットだけを含む。
【００２５】
これは、より柔軟なリソース・シェアリングを可能にしうるとともに、低粒度のリソース・シェアリングを可能にしうる。
本発明の任意の特徴に基づいて、装置は更に、第１エア・インタフェース資源の少なくとも一部を将来のネットワークに割り当てることのサービス影響について判断する手段を含み、選択手段は、サービス影響が判定基準を満たす場合にだけ、将来のネットワークを第２ネットワークとして選択するように構成されている。
【００２６】
これは、改良されたパフォーマンス（例えば、サービスの質（ＱｏＳ）の保証に関して）を可能にしうるとともに、一時的な資源の再割り当て時に、第１ネットワークと第２ネットワークの動作の間の互換性の確保を促進できる。判定基準は、好適な共存判定基準でありうる。例えば判定基準は、第１ネットワーク内と第２ネットワーク内のうちの少なくとも一方における特定のクオリティー・オブ・サービスのレベルが保持されることを要求する判定基準でありうる。
【００２７】
本発明の任意の特徴に基づいて、サービス影響は、将来のネットワークについてのサービス影響である。これは、一時的な資源割当を潜在的に受信するネットワークの通信サービスに対する好適なパフォーマンスの確保を促進しうる。
【００２８】
本発明の任意の特徴に基づいて、サービス影響は、第１ネットワークについてのサービス影響である。これは、第１ネットワークの通信サービスに対する好適なパフォーマンスの確保を促進しうる。
【００２９】
本発明の任意の特徴に基づいて、選択手段は、複数の選択されたネットワークを選択して、その複数の選択されたネットワークに対して、組み合わされた資源交換オファー値を最大にするように第１エア・インタフェース資源の種々の部分を割り当てるように構成されている。
【００３０】
これは、柔軟なリソース・シェアリングを可能にしうるものであり、利用可能な資源が、その資源に対する複数のネットワークそれぞれの必要性に基づいて複数のネットワーク間で共有され、幾つかの実施形態では、資源を共有することの第１ネットワークに対する利益を最大にしうる。
【００３１】
本発明の任意の特徴に基づいて、資源交換オファー値は、所定の資源ユニットに対するものである。
これは、より柔軟なリソース・シェアリングを可能にすることと、リソース・シェアリングに対する管理動作を促進しうることとのうちの少なくとも一方を可能にし、またはリソース・シェアリングに対する管理動作を促進しうる。例えば、資源交換オファー値は、特定の持続時間に対する１つのキャリアに対する、または特定の持続時間に対する全周波数帯域に対するなどの資源ユニットに対するオファー値でありうる。その結果、第１エア・インタフェース資源の部分に対する全体の資源交換オファー値は、資源交換オファー値、および第１エア・インタフェース資源の部分内の資源ユニットの個数を乗じることによって決定されうる。
【００３２】
本発明の任意の特徴に基づいて、複数の通信ネットワークは、共有された媒体アクセス制御（ＭＡＣ）フレームを使用し、複数の通信ネットワークの各々は、名目上の割り当てられた時間間隔を有する。
【００３３】
これは、リソース・シェアリングを促進しうるとともに、例えばＩＥＥＥ８０２．１６および８０２．１１通信ネットワーク・ファミリーのような多数の既存の通信システムとの互換性を提供しうる。ネットワークに対する名目上の資源割当は、そのネットワークに名目上割り当てられたＭＡＣフレームの時間間隔に対応しうる。
【００３４】
本発明の任意の特徴に基づいて、選択手段は、少なくとも第２ネットワークから受信済みの複数の資源交換オファー値を含む反復選択プロセスに呼応して、第２ネットワークを選択するように構成されている。
【００３５】
これは、改良された選択を可能にしうるとともに、幾つかの実施形態で、この資源を共有することの第１ネットワークに対する利益の最大化を促進しうる。
本発明の任意の特徴に基づいて、選択手段は、第２ネットワークの資源交換オファー値が閾値を超えているとき、第２ネットワークを選択するだけであるように構成されている。
【００３６】
これは、他のネットワークからの要求が十分大きいとき、一時的なリソース・シェアリングが実行されるだけであることを確保でき、幾つかの実施形態では、第１ネットワークに対する利益が十分大きいとき、一時的なリソース・シェアリングが実行されるだけであることを確保できる。
【００３７】
本発明の第２態様に基づいて、複数の通信ネットワークを含む通信システムが提供され、各々の通信ネットワークは、共有されたエア・インタフェース資源の名目上の資源割当と、資源交換許容とを有し、この通信システムは、第１ネットワークの名目上の資源割当から、第１エア・インタフェース資源の一時的な資源割当を開始する開始手段と、複数のネットワークからオファー・メッセージを受信する手段であって、各々の前記オファー・メッセージは第１エア・インタフェース資源の少なくとも一部に対する資源交換オファー値を含むことと、受信済み資源交換オファー値に呼応して第２ネットワークを選択する手段と、第１ネットワークから第２ネットワークへの第１エア・インタフェース資源の少なくとも一部の一時的割当を示す資源割当メッセージを第２ネットワークに送出する手段と、第２ネットワークからの資源交換オファー値に呼応して決定された値に従って、第２ネットワークの資源交換許容を減少させる手段と、第２ネットワークにおいて、第１エア・インタフェース資源の少なくとも一部を用いて通信する手段とを含む。
【００３８】
本発明の任意の特徴に基づいて、通信システムは更に、複数の通信ネットワークの資源交換許容を保存する手段を含み、第２ネットワークの資源交換許容を減少させる手段は、保存手段に対して、第２ネットワークの資源交換オファー値を含むメッセージを送信するように構成されており、保存手段は、メッセージに呼応して、第２ネットワークに対する資源交換許容を更新するように構成されている。
【００３９】
これは、リソース・シェアリングの制御を促進しうるとともに、種々のネットワークの資源交換許容を管理しかつモニタする実用的で信頼できる手段を提供しうる。資源交換許容を保存する手段は、例えば、複数のネットワークに接続されたセントラル・サーバおよび付属するデータベースでありうる。
【００４０】
本発明の第３の態様に基づいて、複数の通信ネットワーク間のリソース・シェアリングの方法が提供され、各々の通信ネットワークは、共有されたエア・インタフェース資源の名目上の資源割当と、資源交換許容とを有し、この方法は、第１ネットワークの名目上の資源割当から、第１エア・インタフェース資源の一時的な資源割当を開始するステップと、複数のネットワークからオファー・メッセージを受信するステップであって、各々の前記オファー・メッセージは第１エア・インタフェース資源の少なくとも一部に対する資源交換オファー値を含むことと、受信済み資源交換オファー値に呼応して第２ネットワークを選択するステップと、第１ネットワークから第２ネットワークへの第１エア・インタフェース資源の少なくとも一部の一時的割当を示す資源割当メッセージを第２ネットワークに送出するステップと、第２ネットワークからの資源交換オファー値に呼応して決定された値に従って、第２ネットワークの資源交換許容を減少させるステップとを含む。
【００４１】
本発明の、これらのならびに他の態様、特徴および利点は、以下に説明される実施形態を参照することによって明らかになり、解明されるであろう。
本発明の実施形態は、添付図面を参照することによって、あくまで一例としてのみ説明されるであろう。
【発明を実施するための最良の形態】
【００４２】
下記の説明では、ＧＳＭまたはＵＭＴＳセルラー方式のようなセルラー通信ネットワークに適用可能な本発明の実施形態に焦点を当てている。本発明は、この用途に限定されず、例えば、ＩＥＥＥ８０２．１６および８０２．１１通信ネットワーク・ファミリーのような他の多数の通信ネットワークに適用されうることが理解されるであろう。
【００４３】
図１は、３つの異なる個別の通信システムまたはネットワーク１０３、１０７、１１１（用語、通信システムおよびネットワークは、交換可能に使用される）を含む組み合わされた通信システム配置の例を示す。
【００４４】
ネットワーク１０３、１０７、１１１の各々は、通信システムの技術仕様に基づく通信サービスをサポートするための全ての所要の機能を含む。具体的な例では、ネットワーク１０３、１０７、１１１は、セルラー・エア・インタフェース上の通信をサポートする機能を含む。従って、特に、各々のネットワーク１０３、１０７、１１１は、個々の通信システムのエア・インタフェース上で信号を送受信できる少なくとも１つの基地局１０１、１０５、１０９を含む（明確にするために、図１では、基地局１０１、１０５、１０９は、ネットワーク１０３、１０７、１１１に接続して示されている）。
【００４５】
図１の例では、３つのネットワーク１０３、１０７、１１１は、スペクトル共有を使用し、同じ周波数スペクトルが、全ての３つのネットワーク１０３、１０７、１１１のエア・インタフェース通信で使用されている。具体的な例では、３つのネットワークは時分割を使用し、３つのネットワーク１０３、１０７、１１１が異なった時間に全周波数スペクトルにアクセスする。
【００４６】
具体的には、３つのネットワークは、エア・インタフェース上の同じＭＡＣ（媒体アクセス制御）フレーム構造を使用するように構成されている。更に、ネットワーク１０３、１０７、１１１は同期しており、エア・インタフェース上の送信用のＭＡＣフレームは、フレーム同期されている。
【００４７】
例では、ネットワークの各々は、各々のフレームの特定の時間間隔に対応する名目上の資源割当を割り当てられる。具体的には、ダウンリンク（フォワード・リンク）およびアップリンク（リバース・リンク）ＭＡＣフレームが、等しい大きさの３つの時間間隔に分割され、１つの時間間隔がネットワーク１０３、１０７、１１１の各々に割り当てられる。
【００４８】
従って、割り当てられた時間間隔内であれば、適切なネットワーク１０３、１０７、１１１は、エア・インタフェース上で自由に通信できるが、これは、他のネットワーク１０３、１０７、１１１に割り当てられた時間間隔の間には許可されない。
【００４９】
図２は、スペクトル共有を用いる複数のネットワーク１０３、１０７、１１１に対するフレーム構造の例を示す。例では、各々の時間間隔に対して、名目上資源を割り当てられたネットワーク１０３、１０７、１１１はマスタ・ネットワークと表示され、他のネットワークはスレーブ・ネットワークと表示されている。
【００５０】
個々のネットワーク１０３、１０７、１１１は、独自にネットワークの動作を管理して制御する。具体的には、ネットワークの各々は、いつでも所与のエア・インタフェース資源を割り当てられ、このエア・インタフェース資源割当の管理は、他のネットワーク１０３、１０７、１１１の動作を考慮することなく実行される。従って、具体的には、個々のネットワーク１０３、１０７、１１１における個々の呼び出しおよび基地局に対する資源の割り当ては、割り当てられる資源については考慮するが、それらに割り当てられる資源を他の通信システムがどのように管理しているかについては考慮せずに実行される。
【００５１】
スペクトル共有は、資源の効率的な共有を可能にしうるが、静的割り当ては、個々のネットワーク１０３、１０７、１１１の動的でかつ異なる資源要件を考慮に入れることができないため、効率が悪い。
【００５２】
図１のシステムでは、共通周波数帯域のリソース・シェアリングは、１つのネットワークの名目上の資源割当から他のネットワークへの資源の一時的な資源割当によって、改良されうる。
【００５３】
システムでは、ネットワーク１０３、１０７、１１１の各々は、他のネットワークから資源を借りるときに使用されうる資源交換許容を割り当てられる。システムでは、資源は、一時的に１つのネットワークから他のネットワークに割り当てられうる。呼応して、資源を提供するネットワークの資源交換許容は増やされるが、資源を受け取るネットワークの資源交換許容は減らされるであろう。
【００５４】
具体的に、図１の通信システムは、ネットワーク１０３、１０７、１１１の資源交換許容を保存する資源交換許容プロセッサ１１３を含む。保存された資源交換許容は、資源が一時的に再割り当てされるときに更新されるため、資源交換許容は、その個体が他の通信ネットワークへ貸し出されたものか、または他の通信ネットワークから借りたものかという資源の表示を提供する。
【００５５】
図３は、本発明の幾つかの実施形態に基づく、リソース・シェアリングのための装置の例を示す。装置は、任意の好適な場所で実施できることと、種々の場所の間および種々のネットワークの間に分散されうることとのうちの少なくとも一方が可能である。例えば装置は、ネットワーク１０３、１０７、１１１のうちの１つ以上と、資源交換許容プロセッサ１１３内とのうちの少なくとも一方で実施されうる。具体的には、種々のネットワーク１０３、１０７、１１１のＭＡＣ資源割当プロセッサは、図３に示されているような装置を含みうる。
【００５６】
装置２０１は、種々のネットワーク１０３、１０７、１１１に接続するネットワーク・インタフェース２０３を含む。例えば、装置２０１がネットワーク１０３、１０７、１１１のうちの１つのネットワーク要素内で実施される幾つかの実施形態では、ネットワーク・インタフェース２０３は、そのネットワークのうちの１つ以上のネットワーク要素に接続され、このネットワークを介して他のネットワークに接続されうることが理解されるであろう。他の例として、ネットワーク・インタフェース２０３は、資源交換許容プロセッサ１１３に直接接続されうる。以下では、説明は、装置２０１が第１ネットワーク１０３の一部である例に焦点を当てるであろう。
【００５７】
装置２０１は、更に、ネットワーク・インタフェース２０３に接続された共有誘因プロセッサ２０５を含む。共有誘因プロセッサ２０５は、第１ネットワークの名目上の資源割当から、第１エア・インタフェース資源の一時的な資源割当を開始するように構成されている。
【００５８】
例えば共有誘因プロセッサ２０５は、使用されていない予備資源を第１ネットワーク１０３が有することを検出でき、他のネットワークがその予備資源を使用できるようにしうる。呼応して、共有誘因プロセッサ２０５は、ネットワーク・インタフェース２０３を介して他のネットワークに送信される資源可用性メッセージを生成しうる。
【００５９】
呼応して、ネットワーク・インタフェース２０３は、他のネットワーク２０５、２０９からオファー・メッセージを受信しうる。各々のオファー・メッセージは、共有のために利用可能な資源のうちの少なくとも幾つかに対する資源交換オファー値を含むであろう。資源交換オファー値は、オファー・メッセージを送信するネットワークが特定の資源の一時的割当の代わりに受け入れる用意がある、その資源交換許容の削減量を示す。
【００６０】
装置２０１は、更に、ネットワーク・インタフェース２０３に接続された選択プロセッサ２０７を含み、選択プロセッサ２０７には受信済み資源交換オファー値が供給される。呼応して、選択プロセッサ２０７は、所与の資源が一時的に再割り当てされることになる特定のネットワークの選択に取りかかる。資源は、多数の実施形態において、他の複数のネットワークに割り当てられうることが理解されるであろう。
【００６１】
例えば、所与の資源に対して、選択プロセッサ２０７は、単に最大の資源交換オファー値を有するネットワーク、すなわち、その資源交換許容において最大の削減を受け入れる用意があるネットワークを選択しうる。この削減は、資源の一時的な借用に対するペナルティ値と考えられうるため、選択プロセッサ２０７は、利用可能な資源を最も必要としているネットワークを自動的に選択でき、その結果、複雑さの少ないシステムによって効率的なリソース・シェアリングが実現されうる。
【００６２】
資源交換オファー値は、資源の所与のユニットに対するオファー値でありうる。例えば、受信済み資源交換オファー値は、特定のネットワークが、例えば、ＭＡＣフレーム持続時間のｌ／１００の各々の時間間隔に単一キャリアの割り当てに対して受け入れる用意がある資源交換許容の削減量を規定できる。選択プロセッサ２０７によって比較される全オファー値は、このような場合には、キャリアの個数を有する特定のオファー値、および割り当てられうる資源の時間間隔の個数を乗じることによって決定されうる。
【００６３】
選択プロセッサ２０７は許容メッセージ生成器２０９に接続され、この許容メッセージ生成器２０９は、更に、ネットワーク・インタフェース２０３に接続されるとともに、選択されたネットワークに対する資源交換許容を減少させる資源交換許容プロセッサ１１３に許容メッセージを送信するように構成されている。具体的には、許容メッセージ生成器２０９は、資源交換オファー値に呼応して資源交換許容削減を計算でき、この値を資源交換許容プロセッサ１１３に送出できる。その結果、許容メッセージ生成器２０９は、第２ネットワークからの資源交換オファー値に呼応して決定された値に従って、第２ネットワークの資源交換許容を減少させる。
【００６４】
資源交換許容プロセッサ１１３が、一時的割当を受信するネットワークの資源交換許容がゼロに達しないことを確認するとき、資源交換許容プロセッサ１１３は、この事実を装置２０１に通知できる。呼応して、装置２０１は、このネットワークに対する資源の再割り当てを止めるであろう。
【００６５】
選択プロセッサ２０７は、更に割当メッセージ生成器２１１に接続され、この割当メッセージ生成器２１１は、更にネットワーク・インタフェース２０３に接続されるとともに、選択されたネットワークに資源割当メッセージを送信するように構成されている。資源割当メッセージは、利用可能な資源の少なくとも一部の一時的割当の表示を含む。資源割当メッセージの受信後に、選択されたネットワークは、借りた資源の使用に取りかかることができる。具体的には、第１ネットワーク１０３に名目上割り当てられた再割り当てされた時間間隔におけるエア・インタフェース送信は、選択されたネットワークにおいて予定されうる。
【００６６】
図４は、本発明の幾つかの実施形態に基づく、リソース・シェアリングのための方法の例を示す。方法は、図３の装置を参照して説明されるであろう。
方法はステップ４０１で開始し、資源交換許容プロセッサ１１３は、各々のネットワーク１０３、１０７、１１１に対する資源交換許容で初期化される。以下の模範的説明では、資源交換許容は、クレジット・トークンと呼ばれる任意の単位で測定されるであろう。資源交換許容プロセッサ１１３は、例えば、各々のネットワーク１０３、１０７、１１１が所定の量のクレジット・トークンを割り当てられるように初期化されうる。
【００６７】
個々のネットワークに対する資源交換許容は、他の機構に基づいて変更されうることが理解されるであろう。例えば、個々のネットワーク・オペレータは、例えば彼らの資源交換許容が資源の借用によって好ましくないレベルまで減少した後に、支払いの代わりに、彼らの資源交換許容を増加させることができるかもしれない。例えば、ネットワーク・オペレータは、特定の価格でクレジット・トークンを買うことができることに同意したかもしれない。
【００６８】
ステップ４０１の次に、ステップ４０３が続き、ネットワークの名目上の資源割当から、エア・インタフェース資源の一時的な資源割当が開始される。
開始は、ネットワークが一時的に資源を貸し出そうとすることによって始められてもよく、またはネットワークが資源を借りようとすることによって始められてもよい。
【００６９】
例えば、上述したように、共有誘因プロセッサ２０５は、ある資源が第１ネットワーク１０３で使用されていないこと、またはある資源が低い優先順位のサービスで使用されているだけであり、クレジット・トークンの代わりに一時的にこの資源を再割り当てすることが好ましいであろうということを検出できる。従って、共有誘因プロセッサ２０５は、資源が共有されるために利用可能であることを示すメッセージを送出しうる。
【００７０】
具体的な例として、第１ネットワーク１０３は、周波数帯域が開始時刻ＴSｔａｒｔから終了時刻Ｔｅｎｄまで（Ｔｅｎｄ−ＴＳｔａｒｔ＝ＴＲｅｎｔｉｎｇ）利用可能であることを示す資源可用性メッセージを送出しうる。従って、この時間間隔は、持続時間のほんの少しの間、他のネットワークに利用可能な第１ネットワーク１０３に割り当てられたタイム・フレーム間隔を作ることになる。第１ネットワーク１０３は、更に、第１ネットワーク１０３が資源を一時的に再割り当てする用意がある時間間隔ごとに要求されるクレジット・トークンの最小個数の表示を含みうる。
【００７１】
他の例として、ネットワークは、所望のサービスをサポートするためにネットワークが現在利用可能であるよりも多くの資源を必要としているということを検出しうる。その結果、ネットワークは、資源要求メッセージを送信することによって一時的な資源割当を開始しうる。
【００７２】
例えば、リソース・シェアリング装置２０１が資源交換許容プロセッサ１１３内に実施される例では、資源を借りたがっているネットワークは、資源交換許容プロセッサ１１３に資源要求メッセージを送信できる。その後、資源交換許容プロセッサ１１３は、他のネットワークに資源要求を送信でき、代わりに、他のネットワークは、利用可能な資源の表示を送信でき、または、実際には、他のネットワーク自体が資源要求を返信する場合もある。その後、資源交換許容プロセッサ１１３は、説明した原理に基づいて、要求中のネットワーク間の利用可能な資源の割り当てに取りかかることができる。
【００７３】
ステップ４０３の次に、ステップ４０５が続き、オファー・メッセージが複数のネットワークから受信される。オファー・メッセージは、時間間隔あたりとキャリアあたりとのうちの少なくとも一方のクレジット・トークンの個数のような、資源ユニットあたりに提供されるクレジット・トークンの個数を具体的に示しうる。
【００７４】
具体的には、第１ネットワーク１０３からの資源可用性メッセージの受信に呼応して、他のネットワーク１０７、１０９は、具体的に以下の情報を含みうるオファー・ベクトル（ＢＩＤｋ）の形態のオファーを含むオファー・メッセージを送出できる。
【００７５】
−  タイム・ユニットあたりに提供されるクレジット・トークンの量（ＣＴｋ）；
−  オファーＣＴｋが適用される、提供された時間の断片ｘｋ；
および、
−  オファーが適用される時間間隔［ＴＳｔａｒｔ  ｋ，ＴＥｎｄ  ｋ］（ここで［ＴＳｔａｒｔ  ｋ，ＴＥｎｄ  ｋ］⊂［ＴＳｔａｒｔ，ＴＥｎｄ］）、のうちの少なくとも一つ。
【００７６】
従って、オファー・ベクトルは、ＢＩＤｋ＝｛ＣＴｋ，xｋ，ＴＳｔａｒｔ  ｋ，ＴＥｎｄ  ｋ｝で具体的に示されうる。
ステップ４０５の次に、ステップ４０７が続き、ネットワークが、エア・インタフェース資源を一時的に割り当てられるために選択されうる。
【００７７】
具体的には、選択プロセッサ２０７は、受信済みオファーＢＩＤｋを以下のように評価しうる。
−  受信済み種々のオファーに基づいて、
○  選択プロセッサ２０７は、提供された時間間隔［ＴＳｔａｒｔ，ＴＥｎｄ］を、時間間隔セット｛［ＴＳｔａｒｔ  ｋ，ＴＥｎｄ  ｋ］｝に基づいて、互いに隣接する時間区分（ＴＳｉ）に分割できる。各々のＴＳｉは、｛［ＴＳｔａｒｔ  ｋ，ＴＥｎｄ  ｋ］｝の間隔のサブセットが完全に重なるタイム・ウィンドウ（ＴＦｒａｍｅの整数）に対応する。各々のＴＳｉでは、各々のネットワークｋは、彼のそれぞれのオファーＢＩＤｋと競合する。
【００７８】
○  各々のＴＳｉに対して、選択プロセッサ２０７は、各々のネットワークｋに対するペイオフＰｋ＝ＣＴｋ＊ｘｋ＊ＴＲｅｎｔｉｎｇ＊ＮＦｒａｍｅ  ｉを計算する。ＮＦｒａｍｅ  ｉは、ＴＳｉの中のフレームの個数である（ＮＦｒａｍｅ  ｉ＝ＴＳｉ／ＴＦｒａｍｅ）。
【００７９】
○  選択プロセッサ２０７は、ｓｕｍ（ｘｋ）＝１かつｓｕｍ（Ｐｋ）が最大にされるように｛ｋ｝のサブセットを探す。
−  需給均衡化価格入札値（ＣＰＡｉ，ｋ）は、各々のＴＳｉおよび各々のネットワークｋに対して選択プロセッサ２０７によって導出される。ＣＰＡｉ，ｋは、タイム・ユニットあたりのクレジット・トークン（ＣＴ）の個数として表現される。
【００８０】
−  ＴＳｉについての選択されたリスト｛ｋ｝の各々のネットワークｋに対して、組み合わされた資源交換許容削減は、Ｐｒｋ＝ＣＰＡｉ，ｋ＊ｘｋ＊ＴＲｅｎｔｉｎｇ＊ＮＦｒａｍｅ  ｉのように決定される。Ｐｒｋがネットワークに対する資源交換許容を（利用可能なクレジット・トークンに関して）超えないとき、選択されたネットワークは、第１ネットワーク１０３に名目上割り当てられた時間間隔のｘｋ＊ＴＲｅｎｔｉｎｇタイム・ユニットの間、対応する資源を割り当てられる。一時的に割り当てられた時間間隔は、ＮＦｒａｍｅ  ｉフレームに対して割り当てられる。
【００８１】
例では、従って、選択プロセッサ２０７は、利用可能な資源の一部を受信するために複数のネットワークを選択できる。
上述した例では、一時的に割り当てられたエア・インタフェース資源は、所与の時間間隔に対する周波数帯域内の全ての周波数キャリアを含む。これは、種々のネットワークが、ばらばらの時間間隔を割り当てられるため、リソース・シェアリングを促進でき、従って、ネットワーク間の相互干渉が軽減されうる。
【００８２】
しかしながら、幾つかの実施形態では、低粒度で資源を割り当てることが実用的である場合があり、具体的には、周波数帯域内に周波数キャリアのサブセットを割り当てるだけであることが実用的でありうる。このような実施形態では、エア・インタフェース上の送信は、種々のネットワークにおいて同時に行われうる。これらの送信は、相互に干渉する場合があり、従って、幾つかの実施形態では、選択プロセッサ２０７は、ソースを再割り当てする前に、種々のネットワークについてのサービス影響を判断する機能を含みうる。
【００８３】
具体的には、選択プロセッサ２０７は、第１ネットワーク１０３から第２ネットワーク１０７への資源の再割り当てが実行されるとき、第１ネットワーク１０３および第２ネットワーク１０７のサービスについてのサービス影響を判断しうる。このサービス影響が許容できる場合にだけ、第２ネットワーク２０７への資源の一時的割当が可能とされるであろう。
【００８４】
具体的な例として、第１ネットワーク１０３（ＱｏＳＭａｓｔｅｒ）および第２ネットワーク１０７（ＱｏＳＳｌａｖｅ）に対するサービスの質のレベルは、選択プロセッサ２０７によって検討されうる。例では、共有誘因プロセッサ２０５によって送信された資源可用性メッセージは、更に、一時的再割当に利用可能である１組のサブキャリアを確認する。
【００８５】
この情報に基づいて、各々の候補ネットワーク１０７、１１１は、各々のサブキャリアをモニタするとともに、影響を受ける相互チャネル干渉の大きさを測定する。
これらの測定に基づいて、候補ネットワーク１０７、１１１（ｋ＝１０７、１１１）は、この干渉レベルが、所要のクオリティー・オブ・サービスのレベルＱｏＳＳｌａｖｅ  ｋから見て許容できるか否かを評価する。ＱｏＳＳｌａｖｅ  ｋ測定基準は、ノイズ・ライズ基準、定員（サービスを受ける利用者数）基準などでありうる。
【００８６】
個々の候補ネットワーク１０７、１１１は、オファー・メッセージ内で第１ネットワーク１０３に送信されるリストｉｄｋで許容できるサブキャリアを確認する。
第１ネットワーク１０３は、個々の候補ネットワーク１０７、１１１と調整して、ｉｄｋ内に含まれるキャリアに対して個々の候補ネットワーク１０７、１１１によって引き起こされる付加的な相互チャネル干渉が、第１ネットワーク１０３に対する所要のサービスの質ＱｏＳＭａｓｔｅｒ  Ｎから見て、許容できるか否かを、第１ネットワーク１０３が判断できるようにする。
【００８７】
結果として得られる両方のクオリティー・オブ・サービスのレベルが、相互干渉の点から見て許容できると判断されるとき、候補ネットワークからのオファーは、評価に含まれ、許容できないと判断されるとき、排除される。
【００８８】
ステップ４０７の次に、ステップ４０９が続き、与えられたエア・インタフェース資源を確認する資源割当メッセージが、個々のネットワーク１０７、１１１に送信される。
ステップ４０９の次に、ステップ４１１が続き、資源交換許容メッセージが、資源交換許容プロセッサ１１３に送信される。資源交換許容メッセージは、クレジット・トークンの確認を含み、このクレジット・トークンは、資源を割り当てられた各々のネットワークが、その資源に対して提供したものである。
【００８９】
呼応して、資源交換許容プロセッサ１１３は、種々のネットワーク１０３、１０７、１１１の資源交換許容に対して保存された値を更新する。具体的には、それは、クレジット・トークンの対応する個数に従って、エア・インタフェース資源を割り当てられたネットワーク１０３、１０７、１１１を減少させることができる。
【００９０】
更に、資源交換許容プロセッサ１１３は、例えば、割り当てられた資源の代わりに他のネットワークによ提供されたクレジット・トークンの総数に従って、第１ネットワーク１０３の資源交換許容を増加させることができる。
【００９１】
従って、システムはまた、ネットワーク１０３、１０７、１１１に、それらの資源の共有の代わりに、付加的な資源交換許容を与える手段を提供できる。これによって、ネットワークが資源を共有する誘因を提供できる。
【００９２】
具体的には、多くのクレジット・トークン・アワードＣＴＡが、以下の具体例に基づいて、第１ネットワーク１０３の資源交換許容に付加されうる。
−  全体の周波数帯域の割り当てに対して、第１ネットワーク１０３に与えられるＣＴＡＮは、時間間隔［ＴＳｔａｒｔ，ＴＥｎｄ］にわたって貸された時間ＴＲｅｎｔｉｎｇの関数として以下のように決定されうる。
【００９３】
ＣＴＡＮ＝ｗｔｉｍｅ（ｔ，ｓ）＊［ＴＲｅｎｔｉｎｇ＊（ＴＥｎｄ−ＴＳｔａｒｔ）／ＴＦｒａｍｅ］
ここで、ｗｔｉｍｅは、貸された時間あたりの与えられるクレジット・トークンの個数を制御するために適合され／調整されうる重み係数（スカラ）である。ｗは、時間（ｔ）および空間（ｓ）の関数であるため、例えば、空間時間トラヒック密度変化の関数として動的に調整されうる。
【００９４】
−  周波数帯域のキャリアのサブセットだけの割り当てに対して、第１ネットワーク１０３に与えられるＣＴＡＮは、時間間隔［ＴＳｔａｒｔ，ＴＥｎｄ］にわたって貸された時間ＴＲｅｎｔｉｎｇ、第１ネットワーク１０３の修正されたクオリティー・オブ・サービスのレベルＱｏＳＥｘｐｅｒｉｅｎｃｅｄ  Ｍａｓｔｅｒ  Ｎ、選択されたネットワークの修正されたクオリティー・オブ・サービスのレベルＱｏＳＥｘｐｅｒｉｅｎｃｅｄ  Ｓｌａｖｅ  ｋ、および選択されたネットワーク｛ｋ｝に貸されたサブキャリアの個数｛ｉｄｋ｝の関数として以下のように決定されうる。
【００９５】
ＣＴＡＮ＝ｗｔｉｍｅ（ｔ，ｓ）＊［ＴＲｅｎｔｉｎｇ＊（ＴＥｎｄ−ＴＳｔａｒｔ）／ＴＦｒａｍｅ］＋ｗｆｒｅｑｕｅｎｃｙ（ｔ，ｓ）＊ＢＷＲｅｎｔｅｄ＋ｗＱ０Ｓ  Ｍａｓｔｅｒ（ｔ，ｓ）＊（ＱｏＳｉｎｔｅｒｆｅｒｅｎｃｅ  ｆｒｅｅ  Ｍａｓｔｅｒ  Ｎ−ＱｏＳＥｘｐｅｒｉｅｎｃｅｄ  Ｍａｓｔｅｒ  Ｎ）＋ｗＱＯＳ  Ｓｌａｖｅ（ｔ，ｓ）＊［１／Σ（ＱｏＳｉｎｔｅｒｆｅｒｅｎｃｅ  ｆｒｅｅ  Ｓｌａｖｅ  ｋ−ＱｏＳＥｘｐｅｒｉｅｎｃｅｄ  Ｓｌａｖｅ  ｋ）］
−  ここで、
○  ｗｔｉｍｅは、貸された時間あたりの与えられるクレジット・トークンの個数を制御するために適合され／調整されうる重み係数（スカラ）である。
【００９６】
○  ｗｆｒｅｑｕｅｎｃｙは、貸された帯域幅ＢＷＲｅｎｔｅｄあたりの与えられるクレジット・トークンの個数を制御するために適合され／調整されうる重み係数（スカラ）である。
【００９７】
ＢＷＲｅｎｔｅｄ＝［ΣＣａｒｄ（ｉｄ１∩．．．∩ｉｄｋ∩．．．∩ｉｄＱ）］＊ｂｗ
ｂｗは、１つのサブキャリアの帯域幅である。
【００９８】
○  ｗＱＯＳ  Ｍａｓｔｅｒは、（ｉ）共有が行われないとき（無干渉期間）、第１ネットワーク１０３が経験するＱｏＳ（ＱｏＳｉｎｔｅｒｆｅｒｅｎｃｅ  ｆｒｅｅ  Ｍａｓｔｅｒ  Ｎ）と、（ｉｉ）選択されたネットワークとスペクトルを共有するとき付加的な相互チャネル干渉のために低下した、第１ネットワーク１０３が経験するＱｏＳ（ＱｏＳＥｘｐｅｒｉｅｎｃｅｄ  Ｍａｓｔｅｒ  Ｎ）との間の差の関数として、与えられるクレジット・トークンの個数を制御するために、適合され／調整されうる重み係数（スカラ）である。第１ネットワーク１０３で使用されるＱｏＳ判定基準が干渉レベルであるとき、相互チャネル・スペクトル共有が行われる場合、ＱｏＳＥｘｐｅｒｉｅｎｃｅｄ  Ｍａｓｔｅｒ  Ｎ−ＱｏＳｉｎｔｅｒｆｅｒｅｎｃｅ  ｆｒｅｅ  Ｍａｓｔｅｒ  Ｎがノイズ・ライズを表す。
【００９９】
○  ｗＱＯＳ  Ｓｌａｖｅは、（ｉ）共有が行われないとき（無干渉期間）、選択されたネットワークが経験するＱｏＳ（ＱｏＳｉｎｔｅｒｆｅｒｅｎｃｅ  ｆｒｅｅ  Ｓｌａｖｅ  ｋ）と、（ｉｉ）第１ネットワーク１０３とスペクトルを共有するとき付加的な相互チャネル干渉のために低下した、選択されたネットワークが経験するＱｏＳ（ＱｏＳＥｘｐｅｒｉｅｎｃｅｄ  Ｓｌａｖｅ  ｋ）との間の差の逆関数として、与えられるクレジット・トークンの個数を制御するために、適合され／調整されうる重み係数（スカラ）である。選択されたネットワークによって使用されるＱｏＳ判定基準が相互チャネル干渉レベルであるとき、スペクトル共有が行われる場合、ＱｏＳＥｘｐｅｒｉｅｎｃｅｄ  Ｓｌａｖｅ  ｋ−ＱｏＳｉｎｔｅｒｆｅｒｅｎｃｅ  ｆｒｅｅ  Ｓｌａｖｅ  ｋがノイズ・ライズを表す。
【０１００】
○  ｗｔｉｍｅ、ｗｆｒｅｑｕｅｎｃｙ、ｗＱＯＳ  Ｍａｓｔｅｒ、およびｗＱＯＳ  Ｓｌａｖｅは、時間（ｔ）および空間（ｓ）の関数であるため、例えば、空間時間トラヒック密度変化の関数として動的に調整されうる。
【０１０１】
資源が一時的に割り当てられうるネットワークを選択するために、他の、例えば、更に複雑で高度なアルゴリズムを使用できることが理解されるであろう。例えば、他のネットワークから受信される複数の資源交換オファー値を含む反復選択プロセスを使用できる。例として、装置２０１は、受信済みオファーを評価して、その後、他のネットワークに現在の割り当てがどのようであるかを示すメッセージを送信しうる。これは、他のネットワークが、選択プロセスで考慮されうる提供されたクレジット・トークンの個数を増加させる結果をもたらしうる。
【０１０２】
また、選択プロセスは、ネットワークの特定の条件に適合するように変更されうる。例えば、所与の資源に対するオファー・メッセージを送出するネットワークの個数、または、トランザクションを行うための使用可能時間のような測定基準に応じて、種々の選択方法が選択プロセッサ２０７によってサポートされうる。特に、時間が許す場合には、競合するネットワークが数回繰り返して交渉できるようにするために、多段階の方法（協調に基づくマルチ・ラウンド・トランザクション）が実施されうる。
【０１０３】
また、常に一時的な資源割当を実行できるというわけではないことが理解されるであろう。例えば、受信済み資源交換オファー値が十分大きいとき、例えば、提供されたクレジット・トークンの個数が資源を提供するネットワークにとって許容できるときにのみ、選択プロセッサ２０７が資源を割り当てるように構成されうる。
【０１０４】
上述した説明は、明確にするために、種々の機能ユニットおよびプロセッサに関して本発明の実施形態を説明したということが理解されるであろう。しかしながら、種々の機能ユニットまたはプロセッサの間の機能の任意の好適な分散化が、本発明をそこなうことなく使用されうることが明らかであろう。例えば、個別のプロセッサまたはコントローラで実行されるように示された機能は、同じプロセッサまたはコントローラで実行されうる。従って、特定の機能ユニットについての言及は、厳密な論理的または物理的な構造または構成を示すというよりもむしろ、単に、説明された機能を提供するための好適な手段についての言及と考えられるべきである。
【０１０５】
本発明は、ハードウェア、ソフトウェア、ファームウェア、またはこれらの任意の組み合わせを含む任意の好適な形態で実施されうる。本発明は、少なくとも部分的に、１つ以上のデータ処理装置と、デジタル信号処理装置上とのうちの少なくとも一方で稼動するコンピュータ・ソフトウェアとして任意に実施されうる。本発明の実施形態の要素および構成部分は、任意の好適な方法で物理的、機能的、および論理的に実施されうる。実際に、機能は、単一のユニット内に、複数のユニット内に、または他の機能ユニットの一部として実施されうる。従って、本発明は、単一のユニット内に実施され、または種々のユニットとプロセッサの間に物理的、機能的に分散されうる。
【０１０６】
本発明は、幾つかの実施形態に関連して説明されたが、本発明は、本明細書に示した特定の形態に限定されない。むしろ、本発明の範囲は、添付クレームによってのみ限定される。更に、特徴は、特定の実施形態に関連して説明されているように見えるかもしれないが、当業者は、説明された実施形態の様々な特徴が、本発明に基づいて組み合わされうることを認識するであろう。クレームにおいて、含む用語は、他の要素またはステップの存在を排除するものではない。
【０１０７】
更に、個々に記載された複数の手段、要素、または方法ステップは、例えば、単一のユニットまたはプロセッサで実施されうる。更に、個々の特徴は、種々のクレーム内に含まれうるが、これらの特徴は、有利に組み合わすことができる場合があるとともに、異なるクレーム内に含まれることは、特徴の組み合わせが、実行可能ではないことと、有利ではないこととのうちの少なくとも一方を意味するものではない。また、クレームの１つのカテゴリ内に特徴を包含することは、このカテゴリに限定されることを意味するものではなく、むしろ、特徴は、適宜等しく他のクレーム・カテゴリに適用可能であることを示す。更に、クレーム内の特徴の順番は、特徴を機能させるべき、いかなる特別の順番をも意味せず、特に、方法クレーム内の個々のステップの順番は、ステップが、この順番で実行されなければならないということを意味しない。むしろ、ステップは、任意の好適な順番で実行されうる。更に、単数の言及は、複数個を排除しない。従って、「ａ」、「ａｎ」、「第１」、「第２」などの言及は、複数個を排除しない。
【図面の簡単な説明】
【０１０８】
【図１】本発明の幾つかの実施形態に基づく、３つの通信ネットワークを含む組み合わされた通信システム配置の例を示す。
【図２】スペクトル共有を用いる複数のネットワークに対する時分割双方向伝送方式フレーム構造の例を示す。
【図３】本発明の幾つかの実施形態に基づく、リソース・シェアリングのための装置の例を示す。
【図４】本発明の幾つかの実施形態に基づく、リソース・シェアリングのための方法の例を示す。
【図１】
2008547356.tif 000003
【図２】
2008547356.tif 000004
【図３】
2008547356.tif 000005
【図４】
2008547356.tif 000006
【国際調査報告】
2008547356.tif 000007
2008547356.tif 000008